(57)【特許請求の範囲】
【請求項１】
建築物の床下又はその周辺に敷設されるものであって、
少なくともヒノキチオール成分を含有するヒノキチオール含有物と、該ヒノキチオール含有体を内部に収容し内外に通気可能な収容体とを具備し、
前記ヒノキチオール含有物が、少なくともヒノキチオール成分を含有し徐放性を有するマイクロカプセルを含むものであり、
前記マイクロカプセルを、非崩壊性粒子及び崩壊性粒子とを表面に混在させてなる多孔質のカプセル本体と、該カプセル本体内に内蔵されたヒノキチオールを含有する液体とから構成し、少なくとも経時変化により崩壊性粒子が崩壊することによって前記液体がカプセル本体内から放出されることを特徴とする敷設材。
【請求項２】
前記ヒノキチオール含有物が、前記マイクロカプセルと、青森ヒバや台湾ヒノキ等のヒノキチオール成分を含有する木材の小片、又は前記木材の樹皮片のいずれか一方又は両方とを含む請求項１記載の敷設材。
【請求項３】
非崩壊性粒子がセラミックス粒子からなるものであることを特徴とする請求項１又は２記載の敷設材。
【請求項４】
崩壊性粒子が植物性タンパク質からなるものであることを特徴とする請求項１、２又は３記載の敷設材。
【請求項５】
前記収容体が、袋状をなすものである請求項１、２、３又は４記載の敷設材。
【請求項６】
請求項１乃至５の何れかに記載の敷設材を、建築物の床下となる基礎部の内側に敷設するようにしていることを特徴とする敷設材の使用方法。
【請求項７】
前記敷設材を、建築物の基礎部の外側における土壌中に埋設するようにしている請求項６記載の敷設材の使用方法。
【発明の詳細な説明】
【０００１】
【発明の属する技術分野】
本発明は、抗菌・防虫等を主目的として建築物の床下等に敷設される敷設材に関するものである。
【０００２】
【従来の技術】
従前より、建築物におけるシロアリ被害が大きな問題となっている。シロアリは、一般に湿潤な木材を好んで食べることがよく知られているが、木材の他にも布や紙はもちろん、コンクリート、土、ゴム、ビニール素材等も食害する極めて雑食性の高い害虫であることが知られてきている。このようなシロアリの性質から、従来の木造日本建築に限らず、近年の建築物の基礎コンクリートやその周囲に配設される防水シート等もシロアリに喰われるようになってきており、その被害が甚大になると、家屋等の建築物が傾いたり、極端な場合には崩壊することにもなる。このようなシロアリ被害は、日本国内に伴わず、また湿潤か乾燥しているかの機構も問わず、世界中で深刻化している。シロアリ対策としては、これまで合成化学薬剤や天然薬剤等を床下や基礎コンクリート等のシロアリが巣を作りそうな箇所に散布したり塗布する方法が採用されてきてはいるが、このような方法ではシロアリに対する駆除効果が長続きせず、所定期間を空けて何度も薬剤処理する必要があって手間やコストが多大であるという問題があり、また薬剤の中には人体やペット、家畜等に有害で使用に注意を要する成分が含まれていることもある。また、特に湿気がこもりがちな床下は、シロアリ以外にもダニ等の害虫やカビ等の雑菌が繁殖しやすい場所でもあるため、建築物そのものが朽ちたり、その建築物に居住する者に健康被害を及ぼしたりするという問題も指摘されている。
【０００３】
【発明が解決しようとする課題】
ところで、青森ヒバや台湾ヒノキに代表される木材を使用した建築物ではシロアリやダニ等の害虫や、カビ等の雑菌が繁殖しにくいと言われている。そして、このような木材に多量に含まれるヒノキチオール成分が防虫・抗菌効果を奏していることが分かってきている。そこで、ヒノキチオールの精油又はそれを希釈した液剤を直接、建築物の柱や床、基礎部分等に散布したり塗布するなどすることによって、防シロアリ・防ダニ・抗菌効果を得ようとする方法が各種考えられている。しかしながらこのような方法では、一旦、液剤を散布などの処理を施した後、ヒノキチオール成分が揮発してしまうと所期の効果が薄れてしまい、その後繰り返して何度も処理を行わなければならないという不具合がある。特に床下には、建築物の施工前には処理を行いやすいが、建築物が完成してしまうと液剤の散布等を行うのが極めて煩雑となる問題がある。また、液剤は一般に、タンク等に入れて保存・運搬する必要があって、取り扱いが不便である。
【０００４】
そこで本発明は、以上のような問題に鑑みて、良好な防虫・抗菌効果を有し、しかも取り扱いの容易な敷設材を提供するとともに、その好適な使用方法も提供することを目的とするものである。
【０００５】
【課題を解決するための手段】
すなわち、本発明の敷設材は、建築物の床下又はその周辺に敷設されるものであって、少なくともヒノキチオール成分を含有するヒノキチオール含有物と、該ヒノキチオール含有体を内部に収容し内外に通気可能な収容体とを具備するものである。
【０００６】
このようなものであれば、通気性を有する収容体内のヒノキチオール含有物から放散されたヒノキチオール成分が収容体の外部に放出されると、そのヒノキチオール成分の効果によって、建築物の床下等に繁殖しやすいシロアリやダニ等の害虫に対する防虫効果や、カビ等の雑菌に対する抗菌効果が有効に発揮されるようになる。また、このような敷設材を床下やその周辺に敷設しておけば、そこから放出されたヒノキチオール成分が建築物全体に行き渡ることになるため、柱や床、天井、壁、屋根、屋内など建築物全体における防虫・抗菌効果も得ることができる。さらに、ヒノキチオールには、シックハウス症候群の原因となる化学物質の除去効果、その芳香による精神安定効果、アトピー性皮膚炎の軽減効果等があるともいわれているため、収容体から放出されたヒノキチオール成分によるこれらの効果も期待することができる。また、敷設材の保存・運搬、あるいは施工に際しては、ヒノキチオール含有物を収容体に入れた状態としていることから、その取り扱いや作業を極めて簡便なものとなる。
【０００７】
ところで、シロアリ等の害虫は、上述のような青森ヒバ等の木材の香りに惹かれて寄り集まってくるともいわれる。したがって、本発明の敷設剤は、ヒノキチオール含有物が、少なくともヒノキチオール成分を含有し徐放性を有するマイクロカプセルを含むように構成している。
具体的なマイクロカプセルの態様として、非崩壊性粒子及び崩壊性粒子とを表面に混在させてなる多孔質のカプセル本体と、該カプセル本体内に内蔵されたヒノキチオールを含有する液体とから構成し、少なくとも経時変化により崩壊性粒子が崩壊することによって前記液体がカプセル本体内から放出されるようにした構成としていることを特徴とする。すなわち、このような構成によって、非崩壊性粒子は崩壊性粒子が崩壊した後にできる孔をできるだけ小さく塞ぐことになるため、その孔から内部の液体が一気に放出されずマイクロカプセル全体として徐放性を奏するため、比較的長期間、効果が持続することになる。
【０００８】
ヒノキチオール含有物として具体的に有用なものには、前記マイクロカプセル、青森ヒバや台湾ヒノキ等のヒノキチオール成分を含有する木材の小片、又は前記木材の樹皮片のうち、いずれか一又は複数の組み合わせからなるものが挙げられる。ヒノキチオール成分を徐々に放出し得るような構成のマイクロカプセルであると、敷設材を床下等に敷いた直後から、長期間に亘ってヒノキチオール成分を放出することができるため、建築物の完成前に敷設材を床下等に配設しておけば、その後何度も敷設材の配設作業を行う必要もなくすことができる。一方、青森ヒバ等の木材の小片やその樹皮片からもヒノキチオール成分が放出されるが、その放出期間はマイクロカプセルのそれよりも長期間であることから、マイクロカプセルから放出されるヒノキチオール成分の効果が薄れた後でも、その効果を更に持続させることができる。また、このような木材に建築物の床下等における不要な湿気を吸収させ、あるいは吸収した水分を放出させることもできるため、床下等の調湿効果も得られることになる。なお、木材の小片や樹皮片は、粉末状のものとするなど、その形状や大きさは特に限定されることない。
【０００９】
このマイクロカプセルに加えて、前記ヒノキチオール含有物に、青森ヒバや台湾ヒノキ等のヒノキチオール成分を含有する木材の小片、又は前記木材の樹皮片のいずれか一方又は両方が含まれるようにすると、所期の効果をより一層向上することができるようになる。
特に好ましいマイクロカプセルの構成としては、非崩壊性粒子がセラミックス粒子からなるものや、崩壊性粒子が植物性タンパク質粒子からなるものが挙げられる。
【００１０】
ヒノキチオール含有物の出し入れや、敷設材の保管・運搬・施工作業等の取り扱いを容易なものとするには、収容体として袋状をなすものを採用することが望ましい。袋状の収容体の素材は通気性を有するものであれば特に限定されることはないが、入手が容易なものとしては麻袋や不織布からなる袋等が挙げられる。
【００１１】
また、本発明における以上のような敷設材の好適な使用方法は、建築物の床下となる基礎部の内側に敷設することである。このようにすることによって、上述の敷設材による作用効果を確実なものとすることができる。
【００１２】
これに加えて、特に外部からのシロアリの進入を防ぐためには、敷設材を、建築物の基礎部の外側における土壌中に埋設することも有効である。
【００１３】
【発明の実施の形態】
以下、本発明の一実施形態を、図面を参照して説明する。
【００１４】
図１及び図２は、本実施形態の敷設材１を配設した建築物の床下構造を簡略化して模式的に示すものである。同図中、符号Ｇは、建築物が施工される土壌であり、Ｇｆは地面を示している。符号Ｆは、前記土壌Ｇに埋め込んで施工される建築物の基礎部分を構成する基礎コンクリートを示している。図２に示すように、基礎コンクリートＦ上には、基礎パッキンＦ１を挟んで柱Ｆ２や根太Ｆ３が施工され、この根太Ｆ３と地面Ｇｆとの間が建築物の床下空間Ｓとなる。しかして本実施形態では、敷設材１を、前記床下空間Ｓにおける地面Ｇｆに多数敷き詰めるとともに、建築物の外側における土壌Ｇ中に基礎コンクリートＦに沿って多数埋設している。土壌Ｇ中に敷設材１を埋め込むには、基礎コンクリートＦを施工する際に、図２に破線で示すようにその基礎コンクリートＦが打ち込まれる土壌Ｇの周囲を外側にもある程度広く掘り下げておき、その掘り下げた表面に敷設材１を設置した上から土を被せるようにしている。なお、床下空間Ｓや基礎コンクリートＦの外側に配置される敷設材１の数、間隔、土壌Ｇ中に埋設する深さなどは、建築物の広さや予算、その他の要因によって任意に決めることができる。さらに、建築物の完成後であっても可能であれば、床下空間Ｓや土壌Ｇ中に敷設材１を配設するようにしてもよい。
【００１５】
次に、本実施形態における敷設材１の具体的構成について説明する。
【００１６】
この敷設材１は、図３に模式的に示すように、袋状をなす収容体１１と、この収容体１１の内部に収容されるヒノキチオール含有物とから構成される。収容体１１は、例えば麻袋や不織布からなる袋など、通気性を有する素材からなるものであって、これら以外にも土嚢用袋等として通常使用されるものなど、種々のものを適用することができる。ヒノキチオール含有物は、ヒノキチオール成分を含む液体を含有するマイクロカプセル２、青森ヒバや台湾ヒノキ等の木材の小片からなる木材チップ３、及び前記木材の樹皮片からなる樹皮チップ４から構成している。なお、同図において、マイクロカプセルは○として、木材チップ３は□として、樹皮チップ４は△としてそれぞれ示している。
【００１７】
具体的にマイクロカプセル２は、数十個から数百個程度のマイクロカプセル２が相互に引き合った状態のブドウの房のような塊として存在している。個々のマイクロカプセル２は、図４に模式的に示すように、カプセル本体２１と、そのカプセル本体２１の内部に保持されたヒノキチオールを含有する液体２２とからなる。カプセル本体２１は、それぞれ複数の非崩壊性粒子と崩壊性粒子とを混在させた構成の約２μｍ程度の大きさの多孔質粒子であり、非崩壊性粒子をセラミックス粒子２１ａから構成し、崩壊性粒子を大豆レシチン等の植物性タンパク質粒子２１ｂから構成している。このうち植物性タンパク質粒子２１ｂが温度変化や光の作用で経時的に崩壊すると、それに伴って形成された孔２１ｓから内部の液体２２が放出されることになる。しかしてこの液体２２は、青森ヒバや台湾ヒノキから抽出したヒノキチオール成分を含有している。すなわち、青森ヒバや台湾ヒノキの木片や樹皮、枝葉等を細かく粉砕したものに高温高圧の蒸気を当てることによって、生じた液体（油溶成分及び水溶成分）のうち油溶成分にはヒノキチオールが多量に含まれているため、この油溶成分をもって前記液体２２としているが、水溶成分も使用してもよい。なお、植物性タンパク質粒子２１ｂの崩壊はそれぞれ個別に生じているものであるが、多数のマイクロカプセル２の存在によって全体としてみれば液体２２は長期に亘って連続的に放出されていることになる。
【００１８】
一方、木材チップ３や樹皮チップ４は、それぞれ青森ヒバ等の幹や枝、又は樹皮を粉砕機等を利用して小片としたものであるが、比較的大きな切れ端としたり粉末状にしても構わない。
【００１９】
ここで、本実施形態の発泡性建材１に適用したマイクロカプセル１２の防シロアリ性能について説明する。ここではマイクロカプセルの防シロアリ性能試験として、図５に示すような長さ５ｃｍの筒体１００内に土壌１１０やマイクロカプセル１２を詰め込み、筒体１００の一端（右端）からシロアリが筒体１００内をどれだけ移動できるかを経時的に調べている。
【００２０】
図５に示すように、試験Ａとしては、筒体１００の右端から３ｃｍ分及び左端から１ｃｍ分だけ土壌１１０を詰め、それら土壌１１０の間にマイクロカプセル１２を１ｃｍ分詰めたものを使用した。試験Ｂとしては、重量１２ｇの土壌１１０と重量３ｇのマイクロカプセル１２とを混合したものを、筒体１００内全体に詰めたものを使用している。試験Ｃとしては、筒体１００内全体にマイクロカプセル１２を詰めたものを使用した。これら各試験に対する対照試験として、筒体１００内全体に土壌１１０のみを詰めたものを使用した。そして、これら各試験及び対照試験について、それぞれ３回にわたってシロアリが筒体１００内を移動するか調査した。これらの試験結果を図５に示す。
【００２１】
図６に示すとおり、対照試験では３回とも、シロアリは試験開始から１日で筒体１００内を５ｃｍ移動し、２日目には筒体１００を完全に貫通していた。これに対して、試験Ａでは、２１日目にして筒体１００内を５ｃｍ移動したものがあったが（Ａ−１）、他の二つ（Ａ−２、Ａ−３）では右側の土壌１１０の長さにほぼ相当する約３ｃｍの移動が認められた。また、試験Ｂでは、７日目まではシロアリの移動が全く認められず、２１日目にして１．２〜２．２ｃｍの移動が認められた。さらに試験Ｃでは、試験開始から２１日目までシロアリの筒体１００内の移動は全く認められなかった。以上の試験結果から、シロアリは土壌のみがある箇所を容易に通過することができるが、ヒノキチオールを含有する液体１２２を含むマイクロカプセル１２がある箇所は通過できず、少なくとも容易には通過することができないことが分かった。したがって、このようなマイクロカプセル１２を付着させたロックウール１１から構成される発泡性建材１を施工すれば、有効にシロアリ被害を抑制することができるといえる。なお、いずれの試験においても試験終了までシロアリが死滅することはなかったが、試験Ｃにおいてはシロアリが筒体１００内の外部から視認できるところを動き回ることなく筒体１００の下方にじっと留まっていたことから（図６中「下に生存」の表記を参照）、ヒノキチオールを含有するマイクロカプセル１２が多量に存在する環境は、シロアリにとって生息しにくいものであることがわかる。
【００２２】
以上のように、本実施形態では、ヒノキチオール含有物２、３及び４を収容体１１に入れた構成の敷設材１を、冒頭に述べたように建築物の床下空間Ｓや基礎コンクリートＦの周囲に敷設するようにしている。このため、敷設材１の敷設後、マイクロカプセル２の植物性タンパク質粒子２１ｂが経時的に崩壊すると、その崩壊によってできた孔２１ｓから内部の液体２２が連続的に放出され、さらに液体２２が揮発して収容体１１を通じて外部に放散されることとなり、液体２２に含まれているヒノキチオール成分が床下空間Ｓや土壌Ｇ中に広がることになる。また、木材チップ３や樹皮チップ４に含まれるヒノキチオール成分も、収容体１１を通じて外部に放出されることになり、前記液体２２と同様に床下空間Ｓや土壌Ｇ中に拡散される。その結果、特に建築物の床下において、ヒノキチオール成分によるシロアリやダニ等の害虫に対する防虫効果、カビ等の雑菌に対する抗菌効果が有効に発揮される。また、ヒノキチオール成分はさらに建築物全体やその周囲にも拡散されることとなるため、建築物の床下のみならず建築物全体において、シロアリやダニ等の害虫に対する防虫効果、カビ等の雑菌に対する抗菌効果が奏されるとともに、シックハウス症候群の原因となる化学物質の除去効果、ヒノキチオールの芳香によるリラックス効果、アトピー性皮膚炎の軽減効果等も得られることになる。特に、基礎コンクリートＦの外側における周囲の土壌Ｇに埋設した敷設材１によっては、外部からのシロアリの進入も防止することができる。
【００２３】
また、本実施形態では、前記マイクロカプセル２の他にも、青森ヒバや台湾ヒノキ等のヒノキチオール成分を含有する木材チップ３や樹皮チップ４を適用しているため、マイクロカプセル２の徐放性による短期・長期のヒノキチオールの効果が得られるだけでなく、マイクロカプセル２から液体２２が放出されきった後でも、木材チップ３や樹皮チップ４から放出されるヒノキチオールの効果を享受することができる。そのため、建築物の施工時に敷設材１を配設しておけば、その直後から防虫効果等の諸効果が得られるだけでなく、その後特別な処理を施さなくても極めて長期間に亘って前記各効果を得ることができる。さらに、木材チップ３や樹皮チップ４は、床下等が高湿度となればその水分を吸収し、乾燥すれば吸収した水分を放出するため、特に床下における優れた調湿材ともなる。
【００２４】
また、収容体１１として袋状をなすものを適用しているため、ヒノキチオール含有物２、３、４の出し入れや、敷設材１の保管・運搬・施工作業等の取り扱いが極めて容易である。
【００２５】
なお、本発明は上記実施形態に限られるものではなく、例えばヒノキチオール含有物として、マイクロカプセル２、木材チップ３、樹皮チップ４の全てを利用しなくても、それらのうちいずれか一つだけあるいは二つを組み合わせて使用してもよい。また、これら以外のものを収容体１１に収容するようにしても構わない。さらに、収容体も袋状のものに限らず箱状その他、各種の形状のものを適用することもできる。その他、各部の具体的構成についても上記実施形態に限られるものではなく、本発明の趣旨を逸脱しない範囲で種々変形が可能である。
【００２６】
【発明の効果】
本発明は、以上説明したような形態で実施され、以下に記載されるような効果を奏する。
【００２７】
すなわち、本発明は、通気性を有する収容体の内部に、少なくともヒノキチオール含有物を収容した構成の敷設材であって、建築物の床下又はその周辺に敷設するようにしている。したがって、収容体ごと敷設材を取り扱うことで、その保管や運搬、施工作業などを簡易化できるのみならず、ヒノキチオール含有物から放散されたヒノキチオール成分が収容体を通じて外部に放出されると、そのヒノキチオール成分の効果によって、建築物の床下のみならず建築物全体において、シロアリやダニ等の害虫に対する防虫効果、カビ等の雑菌に対する抗菌効果、シックハウス症候群の原因となる化学物質の除去効果、ヒノキチオールの芳香によるリラックス効果、アトピー性皮膚炎の軽減効果等を有効に奏することが可能である。
【００２８】
このようなヒノキチオール含有物として、ヒノキチオール成分を含有し徐放性を有するマイクロカプセルを適用すれば、その徐放性により敷設材の施工当初からその後長期間に亘ってヒノキチオールを放出することができ、また、青森ヒバや台湾ヒノキ等のヒノキチオール成分を含有する木材の小片やその樹皮片を適用すれば、極めて長期に亘ってヒノキチオール成分の効果を持続させることができるだけでなく、床下等の調湿効果も得ることができる。したがって、ヒノキチオール含有物として、これらのうちいずれか一又は複数の組み合わせを適用すると、上述の効果を有効に発揮し得る敷設材を構成することができる。
【００２９】
特に、青森ヒバ等の木材片や樹皮片だけをヒノキチオール含有物として適用した場合には、その香りに惹かれてシロアリ等が寄ってくるといわれるが、ヒノキチオール含有物として、少なくとも前記マイクロカプセルを含むようにすることで、シロアリ等を建築物に寄りつかせないようにすることができる。このような構成に加えて、青森ヒバや台湾ヒノキ等のヒノキチオール成分を含有する木材の小片、又は前記木材の樹皮片のいずれか一方又は両方を利用すれば、より長期間に亘って防虫等のヒノキチオール成分による上述の諸効果や調湿効果を更に有効に得ることができる。
【００３０】
また、マイクロカプセルを、非崩壊性粒子及び崩壊性粒子とを表面に混在させてなる多孔質のカプセル本体内に、ヒノキチオールを含有する液体を内蔵した構成とし、少なくとも経時変化により崩壊性粒子が崩壊することによって前記液体がカプセル本体内から放出されるようにすると、非崩壊性粒子が崩壊性粒子の崩壊後にできる孔をできるだけ小さく塞ぐことになるため、その孔から内部の液体が一気に放出されず徐放性を奏するため、マイクロカプセルだけでも比較的長期間、効果を持続することができる。さらに、このようなマイクロカプセルは崩壊時期が個別に異なるため、長期的に見れば崩壊したマイクロカプセルから連続的にヒノキチオールが放出されることとなって、長期に亘って上述のような効果を得ることができる。特に、非崩壊性粒子をセラミックス粒子から構成したり、崩壊性粒子を植物性タンパク質から構成している場合に、このような効果が極めて顕著に得られることになる。
【００３１】
また、収容体として袋状をなすものを適用すれば、ヒノキチオール含有物の出し入れ、敷設材の保管・運搬・施工作業等の取り扱いを簡便化することが可能である。
【００３２】
さらに、以上のような敷設材は、建築物の床下となる基礎部の内側に敷設することで、上述の効果を最も有効に発揮することができるが、さらに加えて、敷設材を、建築物の基礎部の外側における土壌中に埋設することで、特に外部からのシロアリの進入を防ぐことも可能である。
【図面の簡単な説明】
【図１】本発明の一実施形態を適用した建築物の床下構造を模式的に示す斜視図。
【図２】図１に対応する模式的な断面図。
【図３】同実施形態を示す模式的な断面図。
【図４】同実施形態に適用されるマイクロカプセルの構造を模式的に示す断面図。
【図５】同マイクロカプセルの防シロアリ性能試験の概要を示す図。
【図６】防シロアリ性能試験の試験結果を示す図。
【符号の説明】
１…敷設材
２…マイクロカプセル
３…木材の小片（木材チップ）
４…樹皮小片（樹皮チップ）
１１…収容体
【図１】
0003653476.tif 000002
【図２】
0003653476.tif 000003
【図３】
0003653476.tif 000004
【図４】
0003653476.tif 000005
【図５】
0003653476.tif 000006
【図６】
0003653476.tif 000007